(57)【要約】【課題】各種コストの抑制や部品管理の容易性向上などを図ることができる排水口装置を提供する。【解決手段】排水口装置は、底壁部の排水口に挿通される排水口部材と、Ｕパッキン７と、排水口部材に取付けられる排水管とを備える。排水管及び排水口部材を取付けた状態において、排水管及び排水口部材の相対位置が一定位置となるように構成されている。Ｕパッキン７は、上側舌片部７１及び下側舌片部７２、並びに、各舌片部７１，７２を連結する連結部７３を有し、各舌片部７１，７２及び連結部７３からなる環状空間７４に対し底壁部における排水口を形成する部位が嵌入される。下側舌片部７２には、その全周に亘って延びる突条をなすとともに、底壁部側に向けて膨出して底壁部に接触し、かつ、自身の内部に中空部７６を具備することで潰れ変形可能な膨出部７５が設けられる。【選択図】      図３
2018172867.tif 000002
【特許請求の範囲】
【請求項１】
所定の底壁部に貫通形成された排水口に挿設されるとともに、上端部に径方向外側に突出する鍔部を有してなる筒状の排水口部材と、
それぞれ環状の上側舌片部及び下側舌片部、並びに、前記各舌片部の内側端縁同士を連結する連結部を有し、前記各舌片部及び前記連結部からなる外周に開口する環状空間に対し前記底壁部における前記排水口を形成する部位が嵌入されるＵパッキンと、
自身の内周に前記排水口部材が挿通された状態で前記排水口部材に取付けられ、前記鍔部との間で前記各舌片部及び前記底壁部を挟み込んだ状態とされた筒状の排水管とを備え、
前記排水管及び前記排水口部材を取付けた状態において、前記排水口部材の軸方向に沿った前記排水管及び前記排水口部材の相対位置が一定位置となるように構成された排水口装置であって、
前記下側舌片部には、その全周に亘って延びる突条をなすとともに、前記底壁部側に向けて膨出して当該底壁部に接触し、かつ、自身の内部に中空部を具備することで潰れ変形可能に構成された膨出部が設けられていることを特徴とする排水口装置。
【請求項２】
前記Ｕパッキンの中心軸を含む断面において、前記膨出部における少なくとも先端側に位置する部分は、前記膨出部の最先端に向けて徐々に先細る形状とされていることを特徴とする請求項１に記載の排水口装置。
【請求項３】
前記Ｕパッキンは、前記連結部の下部から下方に向けて突出する突出垂下部を有し、
前記突出垂下部は、前記Ｕパッキンが上下反転状態となったときに、前記排水管に対する前記排水口部材の一定以上の挿通を防止し、前記排水口部材に対する前記排水管の取付を不可又は困難とするように構成されていることを特徴とする請求項１又は２に記載の排水口装置。
【請求項４】
前記突出垂下部は、前記排水口部材の外周面と前記排水管の内周面とで挟み込まれた状態とされていることを特徴とする請求項３に記載の排水口装置。
【発明の詳細な説明】
【技術分野】
【０００１】
本発明は、浴槽等の底壁部に対応して設けられる排水口装置に関する。
【背景技術】
【０００２】
排水口装置は、槽体（例えば、浴槽、洗面ボールなど）やユニットバスの洗い場などの底壁部に貫通形成された排水口に設けられるものであり、排水の流路を構成するものである。排水口装置は、それぞれ筒状をなす排水口部材及び排水管を備えている。排水口部材は、上端部に径方向外側に突出する環状の鍔部を有しており、排水口に挿設された状態となっている。排水管は、鍔部との間で底壁部を挟み込んだ状態で排水口部材に対し直列的に取付けられており、排水口部材と連結された状態とされている。
【０００３】
また、漏水防止を図るべく、鍔部及び底壁部間や排水管及び底壁部間に、弾性変形可能な材料（例えば、ゴムや樹脂等）からなる環状のパッキンを配置することがある。パッキンとしては、それぞれ環状の上側舌片部及び下側舌片部と、これら舌片部の内側端縁同士を連結する連結部とを備え、各舌片部及び連結部からなる外周に開口する環状空間に対し、底壁部が嵌入されるように構成されたＵパッキンが提案されている（例えば、特許文献１等参照）。Ｕパッキンを用いた場合、鍔部及び底壁部間に上側舌片部が配置される一方、排水管及び底壁部間に下側舌片部が配置され、各舌片部は、排水口部材及び排水管の取付に伴い、上下に隣接する各部によって挟み込まれた状態とされる。
【０００４】
また、上記の通り、排水管は排水口部材に取付けられるが、排水口部材に対し排水管を取付ける手法としては、排水口部材の外周に設けられた雄ねじ部を、排水管の内周に設けられた雌ねじ部に対し螺合する手法が一般的である。一方、近年では、螺合に際する締付け力管理の煩わしさを払拭すべく、排水口部材の外周に設けられた複数の係止凸部と、排水管の内周に設けられた、テーパ部を有する複数のガイド部とを利用した取付手法が提案されている（例えば、特許文献２等参照）。当該取付手法では、排水管に対し排水口部材を挿通してガイド部間に係止凸部を配置した状態で、排水口部材を所定量だけ回動させることにより、係止凸部がテーパ部に沿って下方に案内される。そして、最終的に、常には排水管に対する排水口部材の回動が規制された状態となることで、排水口部材及び排水管の取付が完了する。
【先行技術文献】
【特許文献】
【０００５】
【特許文献１】特開２０１４−１２５７９８号公報
【特許文献２】特開２０１３−９２０１２号公報
【発明の概要】
【発明が解決しようとする課題】
【０００６】
ところで、上述した係止凸部やガイド部を利用した取付手法では、一般的な螺合による取付手法と異なり、取付完了後、排水口部材の軸方向（上下方向）に沿った排水口部材及び排水管の相対位置は一定位置に決まることになる。つまり、取付完了後、底壁部やパッキンを挟み込むことになる、鍔部と排水管との間の距離は一定となる。ここで、パッキンとしてＵパッキンを用いた場合において、底壁部の厚さが一定であれば、少ない種類（例えば、１種類）のＵパッキンで対応することができるが、底壁部の厚さは、槽体の種別や設計上の理由、製造公差などから種々異なるものとなり得る。そのため、各種厚さの異なる底壁部に対応すべく、両舌片部の厚さや両舌片部間の距離（環状空間の高さ）などが異なる多種のＵパッキンを用意しなければならない。
【０００７】
しかし、Ｕパッキンを多種用意すれば、Ｕパッキンに係る在庫点数が増大してしまい、また、部品管理が煩雑になってしまうおそれがある。さらに、多種のＵパッキンを用意するにあたっては、Ｕパッキン製造用の金型の作製などに多大な費用を費やさなければならなかったり、Ｕパッキンの単価が増大してしまったりするおそれがある。
【０００８】
加えて、排水口装置を浴槽に設ける場合において、浴槽の底壁部における排水口を形成する部位（内鍔部）の厚さの製造公差が大きい場合には、排水口装置の取付作業時に、当該部位の厚さを測定した上で、この厚さに適応するＵパッキンを選択するといった面倒な作業を行う必要が生じてしまう。
【０００９】
このように多種のＵパッキンを用意することは、各種コストや部品管理、作業性の面で決して好ましいとは言えない。
【００１０】
本発明は、上記事情に鑑みてなされたものであり、その目的は、様々な厚さの異なる底壁部に対応することができる汎用性の優れたＵパッキンを有し、各種コストの抑制や部品管理の容易性向上などを図ることができる排水口装置を提供することにある。
【課題を解決するための手段】
【００１１】
以下、上記目的を解決するのに適した各手段につき、項分けして説明する。なお、必要に応じて対応する手段に特有の作用効果を付記する。
【００１２】
手段１．所定の底壁部に貫通形成された排水口に挿設されるとともに、上端部に径方向外側に突出する鍔部を有してなる筒状の排水口部材と、
それぞれ環状の上側舌片部及び下側舌片部、並びに、前記各舌片部の内側端縁同士を連結する連結部を有し、前記各舌片部及び前記連結部からなる外周に開口する環状空間に対し前記底壁部における前記排水口を形成する部位が嵌入されるＵパッキンと、
自身の内周に前記排水口部材が挿通された状態で前記排水口部材に取付けられ、前記鍔部との間で前記各舌片部及び前記底壁部を挟み込んだ状態とされた筒状の排水管とを備え、
前記排水管及び前記排水口部材を取付けた状態において、前記排水口部材の軸方向に沿った前記排水管及び前記排水口部材の相対位置が一定位置となるように構成された排水口装置であって、
前記下側舌片部には、その全周に亘って延びる突条をなすとともに、前記底壁部側に向けて膨出して当該底壁部に接触し、かつ、自身の内部に中空部を具備することで潰れ変形可能に構成された膨出部が設けられていることを特徴とする排水口装置。
【００１３】
上記手段１によれば、Ｕパッキンの下側舌片部には、底壁部側に向けて膨出して底壁部に接触する膨出部が設けられている。膨出部は、内部に中空部を具備することで潰れ変形可能であるため、潰れ変形量を大きく確保することが可能である。従って、膨出部を潰れ変形させることで、厚さが種々異なる底壁部に対し共通のＵパッキンを用いることができ、多種のＵパッキンを用意することなく、様々な厚さの底壁部に対応することができる。これにより、在庫点数や金型に係る費用などを削減することができるとともに、部品の共通化によりＵパッキンの単価を抑えることができる。これらの結果、各種コストを効果的に抑制することができる。
【００１４】
また、多種のＵパッキンを用意する必要がないため、部品管理の容易性を向上させることも可能となる。
【００１５】
さらに、排水口装置の取付作業時に、底壁部の厚さに応じて、多種のＵパッキンの中から適切なものを選択するといった面倒な作業を行わなくて済み、作業性の向上を図ることができる。特に浴槽の底壁部における排水口を形成する部位（内鍔部）の厚さの製造公差が大きい場合には、この作用が効果的に働くこととなる。
【００１６】
加えて、膨出部は、下側舌片部の全周に亘って延びる形状であるため、良好なシール性を確保することができる。
【００１７】
手段２．前記Ｕパッキンの中心軸を含む断面において、前記膨出部における少なくとも先端側に位置する部分は、前記膨出部の最先端に向けて徐々に先細る形状とされていることを特徴とする手段１に記載の排水口装置。
【００１８】
上記手段２によれば、膨出部の少なくとも先端側部位は、最先端に向けて徐々に先細る形状とされている。従って、底壁部が比較的薄く、膨出部の潰れ変形量が少ないときであっても、膨出部の先端部をより強い圧力で底壁部へと接触させることができる。これにより、底壁部及び膨出部間におけるシール性をより確実に良好なものとすることができ、漏水防止を一層効果的に図ることができる。
【００１９】
手段３．前記Ｕパッキンは、前記連結部の下部から下方に向けて突出する突出垂下部を有し、
前記突出垂下部は、前記Ｕパッキンが上下反転状態となったときに、前記排水管に対する前記排水口部材の一定以上の挿通を防止し、前記排水口部材に対する前記排水管の取付を不可又は困難とするように構成されていることを特徴とする手段１又は２に記載の排水口装置。
【００２０】
上記手段３によれば、Ｕパッキンは、連結部の下部から下方に向けて突出する突出垂下部を有している。従って、突出垂下部を目印とすることで、Ｕパッキンをより確実に正規の向きで配設することができ、取付ミスの発生防止を図ることができる。
【００２１】
また、仮にＵパッキンが正規の向きで配設されず、上下反転状態で配設されたとしても、突出垂下部によって、排水管に対する排水口部材の一定以上の挿通が防止され、排水口部材に対する排水管の取付を不可又は困難とすることができる。従って、取付ミスの発生防止を極めて効果的に図ることができる。
【００２２】
手段４．前記突出垂下部は、前記排水口部材の外周面と前記排水管の内周面とで挟み込まれた状態とされていることを特徴とする手段３に記載の排水口装置。
【００２３】
上記手段４によれば、上側舌片部及び下側舌片部に加えて、突出垂下部も漏水防止のためのシール部として機能する。これにより、漏水防止を極めて効果的に図ることができる。
【図面の簡単な説明】
【００２４】
【図１】排水口を閉状態としたときにおける排水口装置の一部破断正面図である。
【図２】排水口を開状態としたときにおける排水口装置の一部破断正面図である。
【図３】Ｕパッキンの断面斜視図である。
【図４】Ｕパッキンの拡大断面端面図である。
【発明を実施するための形態】
【００２５】
以下に、一実施形態について図面を参照しつつ説明する。図１に示すように、排水口装置１は、浴槽１００に取付けられている。
【００２６】
まず、排水口装置１の説明に先立って、浴槽１００について説明する。浴槽１００は、その底面を構成する底壁部１０１を備えており、当該底壁部１０１には、下方に向けて垂下する垂下部１０２と、当該垂下部１０２の下部から内向きに突出する内鍔部１０３とが設けられている。垂下部１０２は、下方に向けて内径が徐々に若干だけ縮小するように構成されている。また、内鍔部１０３の内側に、排水口１０４が形成されている。
【００２７】
さらに、底壁部１０１の外周には図示しない周壁部が立設されており、当該周壁部の上端部には外側に向けて突出する図示しないフランジ部が設けられている。そして、このフランジ部に対し、浴槽１００に対して変位可能な図示しない操作部材（例えば、操作ボタンなど）を有する操作装置（図示せず）が取付けられている。尚、前記操作装置を浴槽１００周辺の構造物に設けてもよい。
【００２８】
次いで、排水口装置１について説明する。排水口装置１は、排水口部材２、排水管３、アタッチメント部材４、支持軸機構５、栓蓋６及びＵパッキン７を備えている。
【００２９】
排水口部材２は、主として排水管３を浴槽１００へと接続するために用いられるものである。排水口部材２は、円筒状に形成されており、自身の中心軸と前記排水口１０４の中心軸とがほぼ一致するように排水口１０４に挿設されている。排水口部材２は、その上端部において径方向外側に突出形成された鍔部２１と、当該鍔部２１よりも下方側に位置し内径がほぼ一定の被挿通部２２とを備えている。
【００３０】
鍔部２１は、排水管３との間で底壁部１０１（内鍔部１０３）及びＵパッキン７を挟み込むためのものであり、垂下部１０２内に配置されている。鍔部２１の外周には、周方向に沿って延びる環状の溝が形成されており、当該溝には、弾性変形可能な材料（例えば、ゴムや樹脂等）からなる環状のシール部材２３が嵌め込まれている。
【００３１】
シール部材２３は、鍔部２１よりも外側に突出した形状をなしており、前記溝に嵌め込まれた状態において、その外径は垂下部１０２の内径よりも若干大きなものとされている。本実施形態では、後述する排水口部材２に対する排水管３の取付にあたって、上方から垂下部１０２内への鍔部２１が挿通されるため、シール部材２３の外周側部分は、垂下部１０２に接触し上側へと撓み変形した状態となっている。
【００３２】
被挿通部２２は、排水管３の内周へ挿通される部位であり、その下部外周には径方向外側に突出する鍔状の外向突出部２２Ａが設けられている。外向突出部２２Ａは、Ｕパッキン７の後述する突出垂下部７７の内周面を支え、当該突出垂下部７７の内周側への移動を規制する。
【００３３】
さらに、被挿通部２２の内周における下部には、突起状の内向突出部２２Ｃと、窪み状の切欠凹部２２Ｄとが、排水口部材２の周方向に沿って複数形成されている。内向突出部２２Ｃ及び切欠凹部２２Ｄは、排水口部材２の内周にアタッチメント部材４を取付けるために用いられる。
【００３４】
排水管３は、浴槽１００等から流れる排水の流路を構成する部分である。排水管３は、鉛直方向に沿って延びる円筒状の本体管３１と、当該本体管３１から枝分かれした状態で延びる接続管３２とを備えている。
【００３５】
本体管３１は、その一端部（上端部）内周に、平面視環状をなす窪み状の収容部３１Ａを有している。また、本体管３１の一端面３１Ｂは、径方向外側に突出した形状をなしており、径方向に沿った幅が比較的大きなものとされている。
【００３６】
接続管３２は、前記操作装置に流入した排水を流すための連結管８３が接続される部位である。接続管３２は、本体管３１の外周から斜め上向きに向けて突出形成され、自身の内部空間が本体管３１の内部空間に連通している。そして、前記操作装置に流入した排水は、前記連結管及び接続管３２を通って、本体管３１内へと案内されるようになっている。尚、本体管３１内に流入した排水は、本体管３１の下部に接続された配管８４を通って下流側（例えば、排水トラップなどの側）へと流れていく。
【００３７】
また、排水管３は、自身の内周に排水口部材２の下側部分が挿通された状態で、当該排水口部材２に取付けられている。本実施形態における排水口部材２に対する排水管３の取付手法は、特開２０１３−９２０１２号公報に記載された取付手法と同様である。
【００３８】
取付手法について説明すると、本体管３１の上部内周面には、所定間隔を隔てて複数の（例えば４つの）ガイド部（図示せず）が突出形成されている。ガイド部同士の間隔は、後述する係止凸部の挿通（通過）を許容する程度に十分に広く設定されている。
【００３９】
ガイド部は、その上端縁が本体管３１の内周面に沿って水平方向に延びる一方、その下端縁が本体管３１の内周面に沿って斜め下方に延びるテーパ部（図示せず）となっている。つまり、各ガイド部は、本体管３１の周方向に沿って、その上下高さが連続的に大きくなるように形成されている。
【００４０】
また、各ガイド部の下端縁のうち前記テーパ部の最下部に連なる部位は、水平方向に延びる平坦面状とされている。そして、前記テーパ部との間で前記平坦面状の部位を挟む位置に、前記平坦面状の部位よりも下側に突出する図示しないストッパ部が設けられている。
【００４１】
一方、排水口部材２は、被挿通部２２の外周面に、外側に向けて突出する複数の（例えば４つの）図示しない係止凸部を周方向に所定間隔を隔てて備えている。
【００４２】
排水口部材２に対し排水管３を取付けるにあたっては、まず、Ｕパッキン７を所定位置に配置し、かつ、底壁部１０１の裏側（浴槽１００の貯水空間とは反対側）に排水管３を配置した上で、この排水管３の内周に対し、排水口１０４を通して排水口部材２を挿通する。このとき、排水管３の内周に設けられた前記各ガイド部間（特に前記各テーパ部間）に、排水口部材２の外周に設けられた係止凸部が位置した状態とする。
【００４３】
次いで、この状態から、例えば平面視時計回り方向に、排水口部材２を所定量（例えば略４５°）だけ回動させる。これにより、各係止凸部が前記テーパ部に沿って移動しつつ下方に案内され、排水管３のより奥側へと排水口部材２が入り込んでいく。このとき、Ｕパッキン７が圧縮変形されるとともに、シール部材２３が垂下部１０２に接触して上側へと撓み変形していく。
【００４４】
そして、各係止凸部が、前記ガイド部における平坦面状の部位に位置するとともに、前記ストッパ部に接触し、排水口部材２のそれ以上の回動が規制された状態となることで、排水口部材２に対する排水管３の取付が完了する。
【００４５】
尚、取付完了後には、Ｕパッキン７で生じる反発力及びシール部材２３で生じる保持力によって、排水口部材２及び排水管３に対し、それぞれ相手側から離間する方向の力が付与された状態となる。これにより、前記ガイド部の平坦面状の部位に対し、排水口部材２の前記係止凸部が圧接された状態となる。そのため、排水口部材２に対し排水管３が強固に取付けられた状態となる。
【００４６】
また、上記のような取付手法では、排水管３及び排水口部材２を取付けた状態において、排水口部材２の軸方向に沿った排水管３及び排水口部材２の相対位置は一定位置となる。従って、例えば排水口部材２及び排水管３をねじ止め固定するような場合には、螺合量の大小によって、前記軸方向に沿った排水管３及び排水口部材２の相対位置を変動させることができ、鍔部２１及び一端面３１Ｂ間の距離、つまり、内鍔部１０３及びＵパッキン７が配置される隙間の大きさを調節することができるが、本実施形態では、鍔部２１及び一端面３１Ｂ間の距離を調節することができないようになっている。
【００４７】
アタッチメント部材４は、排水口部材２及び排水管３の内部、つまり、排水の流路にて支持軸機構５を保持するためのものである。アタッチメント部材４は、外筒部４１、保持筒部４２及びアーム部４３を備えている。
【００４８】
外筒部４１は、円筒状をなしており、排水口部材２の内周面に沿って配置されている。また、外筒部４１は、その外周に、外側に向けて突出する凸部４１Ａを備えている。凸部４１Ａは、外筒部４１の周方向に沿って等間隔に複数設けられている。外筒部４１における各凸部４１Ａに隣接する部位にはスリット（切欠き）が形成されており、その結果、各凸部４１Ａは外筒部４１の径方向に沿って弾性変形可能となっている。
【００４９】
保持筒部４２は、外筒部４１の内側におけるアタッチメント部材４の中心に配置されており、外筒部４１と同心円状の円筒状をなしている。保持筒部４２は、自身の内周において支持軸機構５を保持する部位である。
【００５０】
アーム部４３は、外筒部４１の内周面と保持筒部４２の外周面とを連結し、保持筒部４２及びこれに保持された支持軸機構５を、排水口部材２及び排水管３（すなわち、排水の流路）の中心に配置させる部位である。アーム部４３は、保持筒部４２の周方向に沿って間隔をあけて複数設けられており、排水口部材２に流入した排水は、アーム部４３間の隙間を通って下流へと流れるようになっている。
【００５１】
また、アタッチメント部材４は、排水口部材２の内周に挿通された状態で排水口部材２に取付けられている。詳述すると、凸部４１Ａが切欠凹部２２Ｄに配置されるとともに、外筒部４１における前記スリットを形成する部位が内向突出部２２Ｃに載置された状態となることで、排水口部材２に対しアタッチメント部材４が取付けられている。
【００５２】
支持軸機構５は、栓蓋６を上下動させる機構である。支持軸機構５は、ケース部５１及び支持軸５２を備えている。
【００５３】
ケース部５１は、円筒状をなしており、支持軸５２と所定のロック機構（図示せず）とを内部に収容するものである。ケース部５１は、保持筒部４２に対し上下方向に相対移動不能な状態で配設されている。尚、前記ロック機構を前記操作装置に設けてもよい。
【００５４】
支持軸５２は、栓蓋６を支持する部位であり、その先端部が栓蓋６の背面に形成された筒状部位に嵌着されている。支持軸５２の下端部は、前記操作部材の変位に伴い往復移動する伝達部材８１（例えば、金属製のワイヤーなど）によって押し上げ可能となっている。尚、伝達部材８１は、その外周に設けられた筒状のチューブ部材８２内を往復移動可能に構成されており、前記操作部材の変位によりチューブ部材８２内を往復移動する。
【００５５】
前記操作部材の変位により伝達部材８１が往動（前記操作装置側から排水口装置１側に移動）し、支持軸５２が上昇すると、前記ロック機構によって、支持軸５２はその上昇端よりも若干下方の位置にてロックされる。この状態で、前記操作部材を再度変位させ伝達部材８１が往動すると、前記ロック機構による支持軸５２のロックが解除され、図示しない戻りばね（例えば、ケース部５１内に設けられる）などの力によって、支持軸５２が下降する。このように、本実施形態では、前記操作部材の変位に伴い、ほぼ上昇端の位置における支持軸５２のロックと、ロック解除に伴う支持軸５２の下降とが交互に行われるようになっている。
【００５６】
栓蓋６は、支持軸５２とともに上下動することで、排水口１０４を開閉するためのものである。栓蓋６は、樹脂等からなる円板状の栓蓋本体部６１と、当該栓蓋本体部６１に取付けられたパッキン部６２とを備えている。パッキン部６２は、弾性変形可能な材料（例えば、ゴムや樹脂等）によって環状に形成されており、栓蓋本体部６１の背面の外周寄りに設けられた、外側に開口する凹部に対し嵌め込まれた状態とされている。
【００５７】
本実施形態では、支持軸５２の上動に伴い栓蓋６が上動し、パッキン部６２が排水口部材２から離間することで、排水口１０４（排水の流路）が開状態とされる（図２参照）。一方、支持軸５２の下動に伴い栓蓋６が下動し、パッキン部６２の外周部分全域が排水口部材２（本実施形態では、内周のテーパ状部分）に接触することで、排水口１０４（排水の流路）が閉状態とされる。本実施形態では、前記操作部材を操作する度に栓蓋６の上昇・下降（排水口１０４の開閉）が交互に行われる。
【００５８】
次いで、Ｕパッキン７の構成について説明する。Ｕパッキン７は、鍔部２１及び排水管３の一端面３１Ｂによって、底壁部１０１（内鍔部１０３）とともに挟み込まれた状態とされており、直列的に接続された排水口部材２及び排水管３と浴槽１００との間からの漏水防止を図るためのものである。Ｕパッキン７は、弾性変形可能な材料（例えば、ゴムや樹脂等）によって形成されており、図３に示すように、上側舌片部７１、下側舌片部７２及び連結部７３を備えている。
【００５９】
上側舌片部７１は、平面視円環の平板状をなしており、底壁部１０１の表面側（浴槽１００の貯水空間側）に配置されている。上側舌片部７１は、鍔部２１及び底壁部１０１（内鍔部１０３）により挟み込まれた状態とされている。
【００６０】
下側舌片部７２は、上側舌片部７１と同心円状の平面視円環状をなしており、底壁部１０１の裏側において、底壁部１０１（内鍔部１０３）及び一端面３１Ｂにより挟み込まれた状態とされている。また、下側舌片部７２の外径は、上側舌片部７１の外径よりも大きなものとされており、上記の通り、一端面３１Ｂの幅が十分に大きくされていることと相俟って、一端面３１ＢとＵパッキン７との接触面積が十分に確保された状態となっている。
【００６１】
また、Ｕパッキン７における上側舌片部７１の上面から下側舌片部７２の下面までの距離（Ｕパッキン７のうち鍔部２１及び排水管３に挟まれる部位の厚さ）は、排水管３及び排水口部材２を取付けた状態における、鍔部２１及び一端面３１Ｂ間の距離に対応したもの（例えば、当該距離よりも若干だけ大きいもの）とされている。
【００６２】
連結部７３は、各舌片部７１，７２の内側端縁同士を連結する部位であり、各舌片部７１，７２と同心円状の円筒状をなしている。
【００６３】
また、Ｕパッキン７には、各舌片部７１，７２及び連結部７３によって、外周に開口する環状空間７４が形成されている。そして、環状空間７４に対し底壁部１０１における排水口１０４を形成する部位（本実施形態では、内鍔部１０３）が嵌入された状態となっている（図１等参照）。
【００６４】
ところで、本実施形態では、上記のように、排水管３及び排水口部材２を取付けた状態において、排水口部材２の軸方向に沿った排水管３及び排水口部材２の相対位置は一定位置となる。従って、鍔部２１及び一端面３１Ｂ間の距離は、常にほぼ一定となる。そのため、排水管３及び排水口部材２を取付けた状態において、鍔部２１及び一端面３１ＢによってＵパッキン及び底壁部１０１（内鍔部１０３）を挟持した状態とするため、従前では、底壁部１０１（内鍔部１０３）及び各舌片部の合計厚さが、鍔部２１及び一端面３１Ｂ間の距離に対応したものとなるように、底壁部１０１（内鍔部１０３）の変動に応じて、各舌片部の厚さなどが異なるＵパッキンを用いる必要があった。しかしながら、この手法では、底壁部１０１（内鍔部１０３）の厚さ変動に対応すべく、多種のＵパッキンを用意する必要があり、様々なデメリットが生じてしまうおそれがある。
【００６５】
そこで、本実施形態では、上記デメリットの解消を図るべく、下側舌片部７２に、膨出部７５が設けられている。膨出部７５は、下側舌片部７２における一端面３１Ｂに接触する平板状部位の上面から上方（底壁部１０１側）に向けて膨らんだ形状をなしている。また、膨出部７５は、下側舌片部７２の全周に亘って延びる突条をなしており、下側舌片部７２と同心円状となっている。さらに、膨出部７５の内部には、下側に開口する中空部７６が設けられており、当該中空部７６の存在により、膨出部７５は比較的容易に潰れ変形可能となっている。
【００６６】
このような膨出部７５を設けることで、環状空間７４に対し底壁部１０１（内鍔部１０３）が配置された状態になると、膨出部７５は底壁部１０１（内鍔部１０３）に接触して潰れ変形した状態となる。ここで、膨出部７５の潰れ変形量は底壁部１０１（内鍔部１０３）の厚さに応じて変動し、結果的に、底壁部１０１（内鍔部１０３）における厚さ変動による影響が、膨出部７５によって吸収された状態となる。従って、上記の通り、Ｕパッキン７における上側舌片部７１の上面から下側舌片部７２の下面までの距離（Ｕパッキン７のうち鍔部２１及び排水管３に挟まれる部位の厚さ）を、鍔部２１及び一端面３１Ｂ間の距離に対応したものとすることで、底壁部１０１（内鍔部１０３）の厚さが変動した場合であっても、鍔部２１及び一端面３１ＢによってＵパッキン７及び底壁部１０１（内鍔部１０３）を挟持した状態とすることが可能である。
【００６７】
また、図４に示すように、膨出部７５は、一対の垂直部７５Ａ，７５Ｂと、先端湾曲部７５Ｃとを備えている。
【００６８】
両垂直部７５Ａ，７５Ｂは、下側舌片部７２における一端面３１Ｂに接触する平板状部位に対しほぼ垂直な状態で立設されている。両垂直部７５Ａ，７５Ｂによって、膨出部７５が潰れ変形したときに、膨出部７５の形状が過度に崩れてしまうことが防止され、ひいては膨出部７５をより強い圧力で底壁部１０１（内鍔部１０３）へと接触させることができるようになっている。これにより、シール性の向上を図ることが可能となっている。
【００６９】
先端湾曲部７５Ｃは、両垂直部７５Ａ，７５Ｂの先端部同士を連結するものであり、上側に向けて凸の丸みを帯びた湾曲形状とされている。本実施形態では、先端湾曲部７５Ｃを設けることにより、Ｕパッキン７の中心軸ＣＬ１（図３参照）を含む断面において、膨出部７５のうち少なくとも先端側に位置する部分は、膨出部７５の最先端に向けて徐々に先細る形状となっている。
【００７０】
さらに、Ｕパッキン７は、連結部７３の下部から下方に向けて延びる突出垂下部７７を備えている。突出垂下部７７は、連結部７３の下部から連続的に延びる円筒状をなしており、排水管３の前記収容部３１Ａへと収容されている（図１等参照）。
【００７１】
また、突出垂下部７７は、その内周に、環状の小突起からなる支持凸部７７Ａを備えており、一方で、その外周に、環状の比較的大きな突起からなる圧接凸部７７Ｂを備えている。突出垂下部７７は、支持凸部７７Ａが排水口部材２の前記外向突出部２２Ａに接触した状態で、圧接凸部７７Ｂが排水管３の内周面に圧接した状態となっている。すなわち、突出垂下部７７は、排水口部材２の外周面と排水管３の内周面とで挟み込まれた状態となっている。尚、圧接凸部７７Ｂは、外側に向けて凸の湾曲形状をなしているため、圧接凸部７７Ｂを排水管３の内周面に対しより強い圧力で接触させることができ、ひいては、より良好なシール性を得ることが可能となっている。
【００７２】
加えて、突出垂下部７７は、Ｕパッキン７の上下方向が正規の向きであれば、収容部３１Ａと収容されるが、排水口部材２に対する排水管３の取付時に、仮にＵパッキン７が上下反転状態となっているときには、鍔部２１と接触し、排水管３に対する排水口部材２の一定以上の挿通を防止する（挿通されない状態とすることを含む）ように機能する。これにより、Ｕパッキン７が上下反転状態となっているときには、排水管３に対し排水口部材２を挿通しても、排水管３の内周に設けられた前記各ガイド部間（特に前記テーパ部間）に、排水口部材２の外周に設けられた前記係止凸部を位置させることが不可又は困難となる。そのため、Ｕパッキン７が上下反転した状態では、排水口部材２に対し排水管３を取付けることが不可又は困難となる。このように、突出垂下部７７は、良好なシール性の実現という面だけでなく、誤組付の防止機能という面でも有効に機能する。
【００７３】
以上詳述したように、本実施形態によれば、膨出部７５を潰れ変形させることで、厚さが種々異なる底壁部１０１（内鍔部１０３）に対し共通のＵパッキン７を用いることができ、多種のＵパッキンを用意することなく、様々な厚さの底壁部１０１（内鍔部１０３）に対応することができる。これにより、在庫点数や金型に係る費用などを削減することができるとともに、部品の共通化によりＵパッキン７の単価を抑えることができる。これらの結果、各種コストを効果的に抑制することができる。
【００７４】
また、多種のＵパッキンを用意する必要がないため、部品管理の容易性を向上させることも可能となる。
【００７５】
さらに、排水口装置１の取付作業時に、底壁部１０１（内鍔部１０３）の厚さに応じて、多種のＵパッキンの中から適切なものを選択するといった面倒な作業を行わなくて済み、作業性の向上を図ることができる。特に内鍔部１０３における厚さの製造公差が大きい場合には、この作用が効果的に働くこととなる。
【００７６】
加えて、膨出部７５は、下側舌片部７２の全周に亘って延びる形状であるため、良好なシール性を確保することができる。
【００７７】
併せて、膨出部７５の少なくとも先端側部位は、最先端に向けて徐々に先細る形状とされている。従って、底壁部１０１（内鍔部１０３）が比較的薄く、膨出部７５の潰れ変形量が少ないときであっても、膨出部７５の先端部をより強い圧力で底壁部１０１（内鍔部１０３）へと接触させることができる。これにより、底壁部１０１及び膨出部７５間におけるシール性をより確実に良好なものとすることができ、漏水防止を一層効果的に図ることができる。
【００７８】
さらに、Ｕパッキン７は突出垂下部７７を有している。従って、突出垂下部７７を目印とすることで、Ｕパッキン７をより確実に正規の向きで配設することができ、取付ミスの発生防止を図ることができる。
【００７９】
また、仮にＵパッキン７が正規の向きで配設されず、上下反転状態で配設されたとしても、突出垂下部７７によって、排水管３に対する排水口部材２の一定以上の挿通が防止され、排水口部材２に対する排水管３の取付を不可又は困難とすることができる。従って、取付ミスの発生防止を極めて効果的に図ることができる。
【００８０】
加えて、本実施形態では、突出垂下部７７が排水口部材２の外周面と排水管３の内周面とで挟まれた状態となるため、上側舌片部７１及び下側舌片部７２に加えて、突出垂下部７７も漏水防止のためのシール部として機能する。これにより、漏水防止を極めて効果的に図ることができる。
【００８１】
尚、上記実施形態の記載内容に限定されず、例えば次のように実施してもよい。勿論、以下において例示しない他の応用例、変更例も当然可能である。
【００８２】
（ａ）上記実施形態において、膨出部７５は、一対の垂直部７５Ａ，７５Ｂと先端湾曲部７５Ｃとを備えた形状とされているが、膨出部の形状はこれに限定されるものではない。従って、例えば、垂直部７５Ａ，７５Ｂを備えず、全体が丸みを帯びた湾曲形状をなすように膨出部を構成してもよい。また、Ｕパッキン７の中心軸ＣＬ１を含む断面において、例えば、最先端に向けて徐々に幅が狭くなる三角形状とすることで、先端部が尖った形状となるように膨出部を構成してもよい。勿論、膨出部を断面矩形状や断面台形状などとしてもよい。
【００８３】
（ｂ）上記実施形態において、膨出部７５は１本のみ設けられているが、膨出部を同心円状に複数設けることとしてもよい。
【００８４】
（ｃ）上記実施形態では、排水管３及び排水口部材２を取付けた状態において、排水口部材２の軸方向に沿った排水管３及び排水口部材２の相対位置が一定位置となる取付手法として、ガイド部及び係止凸部を用いた取付手法を挙げている。しかし、排水管３及び排水口部材２を取付けた状態において両者の相対位置が一定位置に定まるものであれば、両者の取付手法は上記実施形態で挙げたものに限られない。従って、例えば、スナップフィットを利用して、排水口部材２の一定位置に排水管３が係止されるといった取付手法を採用してもよい。また、例えば、排水口部材２及び排水管３のうちの一方に対し両者のうちの他方をねじ込む（螺合する）方式の取付手法のうち、両者が取付けられた状態において、両者のうちの一方又は双方に設けられた当たり部により、一方に対する他方のそれ以上のねじ込みが規制された状態となるといった取付手法を採用してもよい。
【００８５】
（ｄ）上記実施形態において、排水口装置１は、浴槽１００の底壁部１０１に取付けられているが、排水口装置の取付対象は浴槽１００の底壁部１０１に限定されるものではない。従って、排水口装置を、浴槽以外の槽体（例えば、洗面ボールやキッチンの流し台など）の底壁部に取付けることとしてもよいし、ユニットバスの洗い場などにおける底壁部に取付けることとしてもよい。
【００８６】
（ｅ）上記実施形態において、排水口装置１は、排水口１０４を開閉するための栓蓋６や栓蓋６を上下動させるための支持軸機構５を備えているが、栓蓋６や支持軸機構５を設けなくてもよい。勿論、支持軸機構５等を設けない場合には、支持軸機構５を保持するためのアタッチメント部材４や支持軸５２を上下動させるための部材（例えば、伝達部材８１など）は不要である。
【００８７】
（ｆ）上記実施形態では、栓蓋６（パッキン部６２）が排水口部材２に接触することで、排水口１０４が閉鎖されるように構成されているが、栓蓋６（パッキン部６２）が底壁部１０１に接触することで、排水口１０４が閉鎖されるように構成してもよい。
【００８８】
（ｇ）排水管３の構成は、上記実施形態で挙げた構成に限定されるものではない。従って、排水管は、封水を貯留するための封水部を備えた排水トラップ、屈曲部を有するエルボー部材、上下方向に延びるストレート状の筒状部材などであってもよい。勿論、接続管３２などの本体管３１から分岐して延びる管の有無や数などに関しても適宜変更可能である。
【符号の説明】
【００８９】
１…排水口装置、２…排水口部材、３…排水管、７…Ｕパッキン、２１…鍔部、７１…上側舌片部、７２…下側舌片部、７３…連結部、７４…環状空間、７５…膨出部、７６…中空部、７７…突出垂下部、１０１…底壁部、１０４…排水口。
【図１】
2018172867.tif 000003
【図２】
2018172867.tif 000004
【図３】
2018172867.tif 000005
【図４】
2018172867.tif 000006